(57)【特許請求の範囲】
【請求項１】
生体内で標識ＣＯ２ガスに変換されて呼気中に排泄される、同位元素Ｃ又はＯの少なくとも一方で標識されてなるウラシルまたはチミンを有効成分とする、胃排出能測定用組成物。
【請求項２】
同位元素が１３Ｃ、１４Ｃ及び１８Ｏからなる群から選択されるいずれか少なくとも一種である請求項１記載の胃排出能測定用組成物。
【請求項３】
請求項１または２に記載する組成物からなるディスペプシア診断検査薬。
【請求項４】
上記ディスペプシアが胃排出能不全を原因とするディスペプシアである、請求項３記載のディスペプシア診断検査薬。
【請求項５】
請求項１または２に記載の組成物を経口的に摂取した胃排出能の低下または亢進が疑われる被験者から採取された呼気を被験試料として、
当該被験試料中に排泄された標識ＣＯ２の量もしくはその挙動を、上記と同じ組成物を摂取した健常者から採取した呼気への排泄標識ＣＯ２の量もしくはその挙動と比較する工程、及び
被験者の呼気に排泄される標識ＣＯ２の初速度が、健常被験者の呼気排泄標識ＣＯ２の初速度よりも遅い場合、または被験者の呼気に排泄される標識ＣＯ２の濃度が、健常被験者の呼気排泄標識ＣＯ２濃度よりも低い場合に、被験者について胃排出能が低下していると判断する工程
を有する、胃排出能測定方法。
【請求項６】
請求項３または４に記載のディスペプシア診断検査薬を経口的に摂取したディスペプシアが疑われる被験者から採取された呼気を被験試料として、
当該被験試料中に呼気内に排泄された標識ＣＯ２の量もしくはその挙動を、同じ検査薬を摂取した健常者から採取した呼気への排泄標識ＣＯ２の量もしくはその挙動と比較する工程、及び
被験者の呼気に排泄される標識ＣＯ２の初速度が、健常被験者の呼気排泄標識ＣＯ２の初速度よりも遅い場合、または被験者の呼気に排泄される標識ＣＯ２の濃度が、健常被験者の呼気排泄標識ＣＯ２濃度よりも低い場合に、被験者について胃排出能が低下していると判断する工程
を有する、胃排出能の不全を原因とするディスペプシアの決定方法。
【請求項７】
生体内で標識ＣＯ２ガスに変換されて呼気中に排泄される、同位元素Ｃ又はＯの少なくとも一方で標識されてなるウラシルまたはチミンの、ディスペプシア診断検査薬の製造のための使用。
【発明の詳細な説明】
【技術分野】
【０００１】
本発明は、ディスペプシア（Dyspepsia）の診断に有効に使用される胃排出能測定用組成物および胃排出能測定方法に関する。具体的には、本発明は、胃の排出機能の低下を、呼気を用いて非侵襲的に測定することのできる組成物、および当該組成物を用いた胃の排出機能の測定方法に関する。また本発明はディスペプシアの診断検査薬およびディスペプシアの診断方法に関する。さらに本発明は、胃腸薬、特に消化管運動機能に関わる薬物について、ディスペプシア患者などの胃排出能不全を原因とする胃腸障害を有する患者に対する薬効または治療効果を測定する方法に関する。
【背景技術】
【０００２】
現代は様々な事柄がめまぐるしく変化するストレスの多い社会である。それに伴って胃腸の痛みや不快感（心窩部痛・心窩部不快感、胃もたれ、胸やけ、心窩部膨満感、易満腹感、悪心、嘔吐など）を訴える患者が増えている。こうした症状を長期間持ちながらも、胃透視、内視鏡検査または腹部超音波検査で異常が認められない患者は、これまで腹部不定愁訴として治療の対象から外されるか、慢性胃炎として診断され治療されてきた。【０００３】
しかし、近年、こうした症状は消化管の機能障害に原因があると考えられるようになり、米国では「内視鏡的に器質的疾患がないにもかかわらず上腹部の不定愁訴が４週間以上ある病態」を、慢性胃炎と区別して“非潰瘍性上部消化管症候群”（Non-ulcer Dyspepsia：NUD)（以下「ディスペプシア」という）と称するようになっている（1987年、米国消化器病学会）。【０００４】
ディスペプシアは自覚症状により、(1)胃食道逆流型（胸やけ、呑酸、逆流感、げっぷ）、(2)運動不全型（早期膨満感、腹部膨満感、食欲不振、悪心、嘔吐）、(3)潰瘍症状型（夜間痛、空腹時痛、周期的不快感・腹痛）および(4)非特異型（上記(1)〜(3)に該当しないもの）に分類されるが、(1)を除く(2)〜(4)は、総じて機能性上部消化管症候群（Functional Dyspepsia：FD）と称される（ROME II基準：非特許文献１参照）。これらのディスペプシアの中で、特に多いのが(2)の型（運動不全型）であり、全体の３〜４割程度を占めるといわれている（非特許文献２参照）。【０００５】
ディスペプシアに対する治療は薬による対症療法が主である。(1)胃食道逆流型は胃酸との関係が深いため胃酸の分泌を抑制する薬が用いられ、また(4)非特異型は心理的要因の関与が考えられることから抗不安剤や抗うつ剤が用いられるものの、下記に示すように、消化管運動機能改善薬がこれらの治療の中心となっている：
(1)胃食道逆流型：酸分泌抑制薬、制酸薬、消化管運動機能改善薬
(2)運動不全型および(3)潰瘍症状型：消化管運動機能改善薬
(4)非特異型：消化管運動機能改善薬、抗不安剤、抗うつ剤。【０００６】
ところで、ディスペプシアの診断は、胃腸の痛みや不快感（心窩部痛・心窩部不快感、胃もたれ、胸やけ、心窩部膨満感、易満腹感、悪心、嘔吐など）を長期間有しながらも、内視鏡検査や腹部超音波検査などによって器質的な疾患が認められない場合、すなわち除外診断によって行われる。またディスペプシアは主として患者の主観によるところが大きいため診断が難しい。こうしたことが、患者に精神的また金銭的負担をかけているだけでなく、適切な治療を遅らせ患者のQOL（Quality of Life）を悪化させている要因にもなっている。【０００７】
このため、簡便かつ高精度にディスペプシアを診断することができれば、ディスペプシア患者の精神的かつ金銭的負担を軽減し、またその治療に大きく貢献できるものと考えられる。【０００８】
ディスペプシアの主な原因は胃排出能の低下であることから、その診断には胃排出機能の測定技術が利用できる。しかし、従来の胃排出能測定方法は高価であったり侵襲的であり、また拘束時間も長く、患者の精神的及び肉体的負担が大きい反面、測定精度が充分でないといった問題を有している。例えば、従来の胃排出能測定方法のうち、アイソトープ法（例えば、Scintigraphyなど）は、放射性同位元素を使用するため管理が煩雑であるとともに、測定に高価なガンマカメラが必要なため、その使用が専門施設に限定されるという問題がある。またＸ線不透過性マーカー法は、マーカーが胃から食物と同時でなく食物が全て排出された後に排出されるために、胃の本来の排出機能を正確に検査できないという問題がある。更にアセトアミノフェン法は、アセトアミノフェンの副作用によって肝障害や薬剤アレルギーが発症するおそれがあり、またこれは小腸での吸収、肝臓での代謝、腎臓からの排泄等の体内における他の影響を受けるため胃排出機能を正確に検査できないという問題を含む。更に一定時間後の血中のアセトアミノフェン濃度を測定するため、採血という侵襲的処置を必要とする問題もある。【０００９】
またその他の胃排出能測定方法としては、超音波で胃内体積及び胃内残存物を測定する方法（Ultrasound法）、ＭＲＩで胃排出能を測定する方法（Magnetic Resonance Imaging法）、胃電図を測定して胃の運動機能を評価する方法（Electrogastrography）等も提案されているが、これらは、(i)診断法の精度に問題がある、(ii)一定の基準がなく実施者によって判断がまちまちである、(iii)診断にあたって被験者を長時間拘束する等、といった問題を有している（非特許文献３〜４など参照）。
【非特許文献１】Talley Nj et al., Gut 45 (Suppl 2): II 37-42, 1999
【非特許文献２】Quarteo AO et al., Dig Dis Sci 43: 2028-2033, 1998
【非特許文献３】J. Smooth Muscle Res. (Jpn. Sec.）6: J-75〜J-91, 2002
【非特許文献４】J. Smooth Muscle Res. (Jpn. Sec.）6: J-129〜J-138, 2002
【発明の開示】
【発明が解決しようとする課題】
【００１０】
本発明は、ディスペプシアの診断に有効に用いることのできる胃排出能測定用組成物、特に呼気を用いて胃の排出機能を簡便にしかも非侵襲的に測定することができる組成物を提供することを目的とする。また本発明は、ディスペプシアの診断に有効に用いることのできる胃排出能測定方法を提供することを目的とする。すなわち、本発明の主な目的は、ディスペプシアの診断検査薬、およびディスペプシアの診断方法を提供することである。【００１１】
さらに本発明は、ディスペプシア患者などの胃排出能不全を原因とする胃腸障害を有する患者に対する治療（薬物療法を含む）効果、特に消化管の運動機能に関わる薬物の薬効または治療効果を測定する方法を提供することを目的とする。
【課題を解決するための手段】
【００１２】
呼気試験を用いて胃の排出機能を診断評価するための検査プローブとして望まれる特性として、下記の４つを挙げることができる：
(1)胃から吸収されず、十二指腸以下の消化管（十二指腸、空腸、回腸など）で吸収される、
(2)ｐＨの変動（消化管ｐＨ）によって吸収が影響されにくい、
(3)吸収率および代謝率が高く、同位体標識ＣＯ２としての呼気排出率（回収率）が高い。
(4)吸収後の代謝が速やか。【００１３】
本発明者らは、上記課題の解決にあたり、上記特性を備えた胃排出機能検査プローブの開発を目指して鋭意検討を重ねていたところ、同位元素Ｃ又はＯで標識されてなるウラシルやチミンといったピリミジン化合物が、上記４つの特性を備えており、これらを被験者に経口投与し、呼気に排泄された同位体標識ＣＯ２の量やその挙動を測定することによって当該被験者の胃排出能が簡便に測定できることを見出し、当該測定方法が非侵襲的なディスペプシア診断方法として有効であることを確認した。また、かかるピリミジン化合物を用いた胃排出能測定方法によれば、当該被験者に対する薬物などの治療効果を評価することができ、被験者（患者）に応じて、より適切かつ有効な治療方法を選択し設定することができることを確信した。本発明はかかる知見に基づいて完成されたものである。【００１４】
すなわち、本発明は下記の態様を有する：
（Ｉ）胃排出能測定用組成物
（I-1）生体内で標識ＣＯ２ガスに変換されて呼気中に排泄される、同位元素Ｃ又はＯの少なくとも一方で標識されてなるピリミジン化合物を有効成分とする、胃排出能測定用組成物。【００１５】
（I-2）同位元素が１３Ｃ、１４Ｃ及び１８Ｏからなる群から選択されるいずれか少なくとも一種である（I-1）記載の胃排出能測定用組成物。【００１６】
（I-3）標識ピリミジン化合物が、ウラシルまたはチミンである（I-1）または（I-2）記載の胃排出能測定用組成物。【００１７】
（II）ディスペプシア診断検査薬
（II-1）（I-1）乃至（I-3）のいずれかに記載する組成物からなるディスペプシア診断検査薬。【００１８】
（II-2）上記ディスペプシアが胃排出能不全を原因とするディスペプシアである、（II-1）記載のディスペプシア診断検査薬。【００１９】
（II-3）上記ディスペプシアが運動不全型ディスペプシアである、（II-2）記載のディスペプシア診断検査薬。【００２０】
（III）胃排出能測定方法
（III-1）（I-1）乃至（I-3）のいずれかに記載の組成物を被験者に経口投与し、呼気内に排泄される標識ＣＯ２の量またはその挙動を測定することを特徴とする胃排出能測定方法。【００２１】
（III-2）（I-1）乃至（I-3）のいずれかに記載の組成物を胃排出能の低下または亢進が疑われる被験者に経口投与し、呼気内に排泄された標識ＣＯ２の量もしくはその挙動を、同じ組成物を用いて得られる健常者における呼気への排泄標識ＣＯ２の量もしくはその挙動と比較することからなる、（III-1）記載の胃排出能測定方法。【００２２】
なお、上記（III-1）〜（III-2）の方法は、下記のように言い換えることもできる：
（III-1’）（I-1）乃至（I-3）のいずれかに記載の組成物を経口的に摂取した被験者から採取した呼気を被験試料として、当該被験試料中の標識ＣＯ２の量をin vitroで測定することを特徴とする胃排出能測定方法。【００２３】
（III-2’）（I-1）乃至（I-3）のいずれかに記載の組成物を経口的に摂取した胃排出能の低下または亢進が疑われる被験者から採取した呼気を被験試料として、当該被験試料中の標識ＣＯ２の量をin vitroで測定し、得られた測定値を、同じ組成物を摂取した健常者から採取した呼気中の標識ＣＯ２の量と比較することからなる、（III-1’）記載の胃排出能測定方法。【００２４】
（IV）ディスペプシアの診断方法
（IV-1）（II-1）乃至（II-3）のいずれかに記載のディスペプシア診断検査薬を被験者に経口投与し、呼気内に排泄される標識ＣＯ２の量またはその挙動から胃排出能を測定することを特徴とするディスペプシアの診断方法。【００２５】
（IV-2）（II-1）乃至（II-3）のいずれかに記載のディスペプシア診断検査薬をディスペプシアが疑われる被験者に経口投与し、呼気内に排泄される標識ＣＯ２の量もしくはその挙動を、同じ検査薬を用いて得られる健常者の呼気への排泄標識ＣＯ２の量もしくはその挙動と比較して、当該被験者の胃排出能を測定することからなる、（IV-1）記載のディスペプシアの診断方法。【００２６】
（IV-3）胃排出能不全を原因とするディスペプシアの診断方法である、（IV-1）または（IV-2）に記載する診断方法。【００２７】
（IV-4）運動不全型ディスペプシアの診断方法である、（IV-3）に記載する診断方法。【００２８】
なお、これら（IV-1）〜（IV-4）の方法は、下記のように言い換えることもできる：
（IV-1’）（II-1）乃至（II-3）のいずれかに記載のディスペプシア診断検査薬を経口的に摂取した被験者から採取した呼気を被験試料として、当該被験試料中の標識ＣＯ２の量をin vitroで検出し、胃排出能を測定することを特徴とするディスペプシアの診断方法。【００２９】
（IV-2’）（II-1）乃至（II-3）のいずれかに記載のディスペプシア診断検査薬を経口的に摂取したディスペプシアが疑われる被験者から採取した呼気を被験試料として、当該被験試料中の標識ＣＯ２の量をin vitroで測定し、当該測定値を、同じ検査薬を摂取した健常者から採取した呼気中の標識ＣＯ２量と比較し、当該被験者の胃排出能を測定することからなる、（IV-1’）記載のディスペプシアの診断方法。【００３０】
（IV-3’）胃排出能不全を原因とするディスペプシアの診断方法である、（IV-1’）または（IV-2’）に記載する診断方法。【００３１】
（IV-4’）運動不全型ディスペプシアの診断方法である、（IV-3’）に記載する診断方法。【００３２】
（V）薬効もしくは治療効果の測定方法
（V-1）被験者に対する胃腸の治療前後に、当該被験者に（I-1）乃至（I-3）のいずれかに記載の組成物または（II-1）乃至（II-3）のいずれかに記載の診断検査薬を経口投与し、治療後の呼気内への標識ＣＯ２の排泄量またはその挙動と治療前の標識ＣＯ２の排泄量またはその挙動とを比較することからなる、当該治療の被験者に対する胃腸の治療効果の測定方法。【００３３】
（V-2）被験者への胃腸薬の投与前と投与後に、当該被験者に当該被験者に（I-1）乃至（I-3）のいずれかに記載の組成物または（II-1）乃至（II-3）のいずれかに記載の診断検査薬を経口投与し、胃腸薬投与後の呼気内への標識ＣＯ２の排泄量またはその挙動と胃腸薬投与前の標識ＣＯ２の排泄量またはその挙動とを比較することからなる、胃腸薬の薬効もしくは該被験者に対する治療効果の測定方法。【００３４】
（V-3）胃腸薬が消化管運動機能に関わる薬物である、（V-2）に記載する測定方法。【００３５】
（V-4）胃排出能不全を原因とするディスペプシア患者に対する胃腸薬の薬効または治療効果の測定方法である、（V-1）乃至（V-3）のいずれかに記載する測定方法。【００３６】
（V-5）運動不全型ディスペプシア患者に対する胃腸薬の薬効または治療効果の測定方法である、（V-1）乃至（V-3）のいずれかに記載する測定方法。【００３７】
なお、これら（V-1）〜（V-5）の方法は、下記のように言い換えることもできる：
（V-1’） 胃腸の治療前後に（I-1）乃至（I-3）のいずれかに記載の組成物または（II-1）乃至（II-3）のいずれかに記載の診断検査薬を経口的に摂取した被験者から採取した呼気を被験試料として、治療後の被験試料中の標識ＣＯ２量と治療前の被験試料中の標識ＣＯ２量とを比較することからなる、当該被験者に対する胃腸の治療効果を測定する方法。【００３８】
（V-2’） 胃腸薬の投与前と投与後に（I-1）乃至（I-3）のいずれかに記載の組成物または（II-1）乃至（II-3）のいずれかに記載の診断検査薬を経口的に摂取した被験者から採取した呼気を被験試料として、胃腸薬投与後の被験試料中の標識ＣＯ２量と胃腸薬投与前の被験試料中の標識ＣＯ２量とを比較することからなる、胃腸薬の薬効もしくは該被験者に対する治療効果の評価方法。【００３９】
（V-3’）胃腸薬が消化管運動機能に関わる薬物である、（V-2’）に記載する測定方法。【００４０】
（V-4’） 胃排出能不全を原因とするディスペプシア患者に対する胃腸薬の薬効または治療効果の評価方法である、（V-1’）乃至（V-3’）のいずれかに記載する測定方法。【００４１】
（V-5’）運動不全型ディスペプシア患者に対する胃腸薬の薬効または治療効果の測定方法である、（V-1’）乃至（V-3’）のいずれかに記載する測定方法。【００４２】
（VI）使用
（VI-1）生体内で標識ＣＯ２ガスに変換されて呼気中に排泄される、同位元素Ｃ又はＯの少なくとも一方で標識されてなるピリミジン化合物の、ディスペプシア診断検査薬の製造のための使用。
（VI-2）同位元素が１３Ｃ、１４Ｃ及び１８Ｏからなる群から選択されるいずれか少なくとも一種である、（V-1）記載の使用。
（VI-3）ピリミジン化合物が、ウラシルまたはチミンである、（VI-1）または（VI-2）記載の使用。【００４３】
本発明において「ディスペプシア」とは「内視鏡的に器質的疾患がないにもかかわらず上腹部の不定愁訴が４週間以上ある病態」〔非潰瘍性上部消化管症候群”（Non-ulcer Dyspepsia：NUD)〕を意味する。本発明が対象とするディスペプシアは、好ましくは胃排出能不全が一原因となっているディスペプシアである。かかるディスペプシアには、機能性上部消化管症候群（Functional Dyspepsia：FD）、特に運動不全型ディスペプシアが含まれる。なお、ここで胃排出能不全とは、胃排出機能が正常でないことを意味し、胃排出能の消失のみならず、胃排出能の低下が含まれる。
【発明の効果】
【００４４】
本発明の組成物によれば、簡単かつ精度良くヒトまたは動物の胃の排出機能を測定することができる。すなわち、本発明の組成物は、胃の運動機能および当該運動機能障害に起因する疾患を客観的に診断するために有用であるとともに、消化管の運動機能に関わる薬物の薬効や、患者に対する治療効果を測定評価するために有効に使用することができる。【００４５】
また、本発明のディスペプシア診断検査薬によれば、被験者の胃排出能の低下を簡単に精度よく測定して、ディスペプシアを診断することができる。特に本発明の検査薬は、呼気中に標識炭酸ガスとして排泄される標識ピペリジン化合物を有効成分とするため、当該検査薬によれば、被験者に精神的または肉体的負担をかけず、呼気試験によって簡便にディスペプシアを診断することができる。また、当該検査薬は、ディスペプシア患者に対する治療（薬物療法を含む）効果、特に消化管の運動機能に関わる薬物の薬効やその治療効果を測定し評価するのに有効に使用することができる。
【発明を実施するための最良の形態】
【００４６】
（Ｉ）胃排出能測定用組成物、および（II）ディスペプシア診断検査薬
本発明の胃排出能測定用組成物は、生体内で標識ＣＯ２ガスに変換して呼気中に排泄される、同位元素Ｃ又はＯの少なくとも一種で標識されてなるピリミジン化合物を有効成分とするものである。【００４７】
当該組成物において用いられるピリミジン化合物は、ピリミジン骨格を有する化合物であり、経口投与後、生体内で標識ＣＯ２ガスに変換して呼気中に排泄されるように、同位元素Ｃ又はＯの少なくとも一種で標識されたものである。具体的には、ウラシル、チミン、シトシンおよび５-メチルシトシンなどのピリミジン塩基を挙げることができる。好ましくは、(1)胃から全く若しくは殆ど吸収されずに、全て若しくはその殆どが十二指腸以下の消化管（十二指腸、空腸、回腸など）で吸収され、その後分解又は代謝されて、標識ＣＯ２ガスとして呼気に排泄されるものである。また、(2)消化管内のｐHの変動により吸収が影響されにくいものが好ましい。さらに好ましくは、(3)吸収率および代謝率が高く、呼気中への標識ＣＯ２ガスとしての排泄率（回収率）が高いものである。特に好ましくは、上記特性に加えて(4)吸収後の代謝が速やかなものである。かかる特性を備えるピリミジン化合物として、好適にはウラシルおよびチミンを挙げることができる。【００４８】
ピリミジン化合物中の炭素原子または酸素原子の標識に用いられる同位体としては、特に制限はされないが、具体的には１３Ｃ、１４Ｃ並びに１８Ｏを挙げることができる。かかる同位体は放射性及び非放射性の別を問わないが、安全性の観点から好ましく非放射性同位元素である。かかる同位元素としては好適に１３Ｃを挙げることができる。【００４９】
具体的には、本発明で用いられるピリミジン化合物は、ピリミジン代謝経路を経て生成されるＣＯ２の少なくとも一部が同位体標識されてなるように、同位体標識されてなるものである。例えば、このようなピリミジン化合物としては、ピリミジン骨格の２位の炭素原子が同位体で標識されてなる化合物を挙げることができる。具体的には、2-13Ｃ標識ウラシル、2-13Ｃ標識チミン、および2-13Ｃ標識シトシンなどを例示することができる。好ましくは2-13Ｃ標識ウラシル、および2-13Ｃ標識チミンである。【００５０】
ピリミジン化合物をこれらの同位体で標識する方法は、特に制限されず、通常使用される方法が広く採用される（佐々木、「５．１安定同位体の臨床診断への応用」：化学の領域107「安定同位体の医・薬学、生物学への応用」pp.149-163（1975）南江堂；梶原、RADIOISOTOPES，41，45-48（1992）等）。これらの同位体標識ピリミジン化合物の一部、特に2-13Ｃ標識ウラシルは商業的に入手することができ、簡便にはかかる市販品を使用することもできる。【００５１】
本発明の組成物は、経口投与後、中に配合されたピリミジン化合物が十二指腸以降で吸収され、また代謝された後に、標識ＣＯ２ガスとして呼気に排泄されるものであればよく、それを満たすものである限り、その形態、同位体標識ピリミジン化合物以外の成分、各成分の配合割合、組成物の調製方法等を特に制限するものではない。【００５２】
形態としては、経口投与形態であればよく、液剤（シロップ剤を含む）、懸濁剤および乳剤などの液状形態；錠剤（裸剤、被覆剤を含む）、チュアブル錠剤、カプセル剤、丸剤、散剤（粉末剤）、細粒剤、および顆粒剤などの固形形態など、任意の経口投与形態を採用することができる。【００５３】
また本発明の組成物は、製剤形態を有するものに限らず、上記標識ピリミジン化合物を含み、本発明の作用効果を妨げないものであればよく、上記標識ピリミジン化合物を任意の食品素材と組み合わせて、固形食、流動食または液状食の形態を有するものであってもよい。【００５４】
本発明の組成物は、実質上、有効成分である上記同位体標識ピリミジン化合物だけからなるものであってもよいが、本発明の作用及び効果を損なわない限り、他の成分として、各製剤形態（投与形態）に応じて、通常当業界において用いられる薬学上許容される任意の担体及び添加物を配合した形態であってもよい。【００５５】
この場合、有効成分として配合する同位体標識ピリミジン化合物の量としては、特に制限されることない。例えば、組成物１００重量％中、１〜９５重量％の割合を挙げることができ、好ましくはかかる範囲で適宜調整することができる。【００５６】
本発明の組成物を、例えば錠剤、チュアブル錠剤、カプセル剤、丸剤、散剤（粉末剤）、細粒剤、および顆粒剤などの固形形態に成形するに際しては、各種形態に応じて各種の担体または添加剤を用いることができる。【００５７】
担体または添加剤として、例えば乳糖、白糖、デキストリン、マンニトール、キシリトール、ソルビトール、エリスリトール、リン酸二水素カルシウム、塩化ナトリウム、ブドウ糖、尿素、デンプン、炭酸カルシウム、カオリン、結晶セルロース、ケイ酸等の賦形剤；水、エタノール、単シロップ、ブドウ糖液、デンプン液、ゼラチン液、カルボキシメチルセルロース、カルボキシメチルセルロースナトリウム、セラック、メチルセルロース、ヒドロキシプロピルメチルセルロース、ヒドロキシプロピルセルロース、リン酸カリウム、ポリビニルアルコール、ポリビニルピロリドン、デキストリン、プルラン等の結合剤；乾燥デンプン、アルギン酸ナトリウム、カンテン末、ラミナラン末、炭酸水素ナトリウム、炭酸カルシウム、ポリオキシエチレンソルビタン脂肪酸エステル類、ラウリル硫酸ナトリウム、ステアリン酸モノグリセリド、デンプン、乳糖、カルメロースカルシウム、低置換度ヒドロキシプロピルセルロース、カルメロース、クロスカルメロースナトリウム、カルボキシメチルスターチナトリウム、クロスポピドン等の崩壊剤；白糖、ステアリン酸、カカオバター、水素添加油等の崩壊抑制剤；ポリソルベート８０、第４級アンモニウム塩基、ラウリル硫酸ナトリウム等の吸収促進剤；グリセリン、デンプン等の保湿剤；デンプン、乳糖、カオリン、ベントナイト、コロイド状ケイ酸等の吸着剤；精製タルク、ステアリン酸塩、ホウ酸末、ポリエチレングリコール、コロイド状ケイ酸、ショ糖脂肪酸類、硬化油等の滑沢剤；クエン酸、無水クエン酸、クエン酸ナトリウム、クエン酸ナトリウム二水和物、無水リン酸一水素ナトリウム、無水リン酸二水素ナトリウム、リン酸水素ナトリウム等のｐH調整剤；酸化鉄、βカロテン、酸化チタン、食用色素、銅クロロフィル、リボフラビン等の着色剤；およびアスコルビン酸、塩化ナトリウム、各種甘味料等の矯味剤等を使用できる。【００５８】
錠剤は必要に応じて通常の剤皮を施した錠剤、例えば糖衣錠、ゼラチン被包錠、フィルムコーティング錠、二重錠、多層錠等とすることができる。またカプセル剤は常法に従い、有効成分である同位体標識ピリミジン化合物を上記で例示した各種の担体と混合して硬化ゼラチンカプセル、軟質カプセル等に充填して調製される。【００５９】
なお、本発明の組成物において、特に、被験者の個体差によるばらつきが少なく高い精度で胃排出能を測定するための好適な組成物として、(a)同位体標識ピリミジン化合物と(b)糖及び／又は糖アルコールとを混合粉砕し、これにより得られる粉末原料を用いて製剤化してなる組成物を挙げることができる。【００６０】
ここで使用される糖および糖アルコールは、薬学的に許容される限り特に制限されるものではない。例えば、糖に関しては、グルコース、ガラクトース、フルクトース、キシロース、アラビノース、マンノース等の単糖類；麦芽糖、イソマルトース、セロビオース、乳糖、ショ糖、トレハロース等の二糖類等が挙げられる。好ましくはグルコース及びショ糖である。また、糖アルコールに関しては、例えば、エリスリトール、マンニトール、キシリトール、ソルビトール、マルチトール、還元パラチノース、ラクチトール等が挙げられる。好ましくはマンニトール、キシリトール、エリスリトール、更に好ましくはマンニトールである。(b)成分として、好ましくは糖アルコールである。【００６１】
また組成物中の(a)成分の配合割合として、好適には、組成物の総重量に対して、５〜２０重量％、好ましくは６〜１８重量％、より好ましくは８〜１５重量％を挙げることができる。また(b)成分の配合割合は、組成物の総重量に対して、通常８０〜９５重量％、好ましくは８２〜９４重量％、より好ましくは８５〜９２重量％を挙げることができる。【００６２】
(a)成分に対する(b)成分の配合比率としては、制限はされないが、例えば、(a)成分１００重量部に対して、上記(b)成分が４００〜１９００重量部、好ましくは４５０〜１５５０重量部、更に好ましくは５５０〜１１５０重量部の割合を例示することができる。【００６３】
かかる組成物は、好適には(a)成分と(b)成分を含む粉末原料を用いて製剤化することにより製造される。上記粉末原料は、好ましくは(a)成分と(b)成分を上記比率で混合し、粉砕処理することによって調製することができる。粉末原料の粒子径は特に制限されないが、被験者間のバラツキを抑制し、胃排出能測定の精度を高めるという観点から、５０％粒子径が４０μｍ以下、好ましくは、５０％粒子径が３０μｍ以下、更に好ましくは５０％粒子径が５〜２０μｍであることが望ましい。また、その粒度分布として、好ましくは５０％粒子径が４０μｍ以下であり、且つ９０％粒子径が２００μｍ以下であるもの；更に好ましくは５０％粒子径が３０μｍ以下であり、且つ９０％粒子径が１００μｍ以下であるもの；特に好ましくは５０％粒子径が５〜２０μｍであり、且つ９０％粒子径が１０〜７０μｍであるものが例示される。かかる粒度分布は、乾式レーザー法（測定条件；焦点距離：１００ｍｍ、平均化回数：１０回、平均化間隔：５ミリ秒、エアー圧力：０．４ＭＰａ）にて測定される。【００６４】
なお、上記粉末原料の調製に採用される粉砕処理としては、制限されないが、乾式粉砕機を用いた粉砕処理が好ましい。当該乾式粉砕機として、具体的にはハンマーミル粉砕機、ピンミル粉砕機、ジェットミル粉砕機等を例示することができる。【００６５】
当該組成物は、上記(a)成分と(b)成分からなるものであってもよいし、またこれらの成分が上記配合比率で含まれるものであれば他の成分を添加して製剤化されてもよい。この場合の他の成分としては、前述する任意の薬学的に許容される担体または添加剤（例えば賦形剤、結合剤、ｐＨ調整剤、崩壊剤、吸収促進剤、滑沢剤、着色剤、矯味剤、香料等）であって、(a)および(b)成分と同様に、粉砕処理されたものであることが好ましい。製剤の形態は、固形の経口投与形態であれば、特に制限されず、細粒剤、顆粒剤、散剤（粉末剤）、錠剤（裸剤、被覆剤を含む）、カプセル剤、丸剤等の形態を任意に採用することができる。中でも、細粒剤や顆粒剤等の粒状製剤、特に押出造粒により製された粒状製剤が好適である。【００６６】
粒状形態に調製する場合、当該製剤の平均粒子径としては、通常、１４００μm以下、好ましくは５０〜１２００μｍ、更に好ましくは１００〜１０００μｍが例示される。このような粒子径の粒状製剤にすることにより、より高い精度で胃排出能を測定することが可能になる。上記製剤粒子径は、振動篩い法［具体的には、測定装置：ロボットシフターＲＰＳ−９５(セイシン企業)、振動レベル：５、シフトタイム：５分、パルス間隔：１秒］により測定できる。【００６７】
本発明の組成物の単位投与形態中に配合される同位体標識ピリミジン化合物（有効成分）の量は、測定試料及び配合する有効成分の種類などによって異なるため、一概に定めることができずケースに応じて適宜調節設定することができる。例えば、有効成分の同位体標識ピリミジン化合物として2-13Ｃ標識ウラシル等の同位体標識ウラシルを用いる場合、単位投与あたりの組成物中に同位体標識ウラシルを１〜１０００ｍｇ／ｂｏｄｙ、好ましくは１０〜１００ｍｇ／ｂｏｄｙの範囲で含むことが好ましく、他の同位体標識ピリミジン化合物を有効成分とする場合も、これに準じて適宜調整することができる。【００６８】
本発明の胃排出能測定用組成物は、これを経口的に服用した後に、呼気中に排泄される標識ＣＯ２ガスの量またはその排泄挙動を測定することによって、当該被験者の胃排出機能を評価することができる。【００６９】
具体的には、本発明の胃排出能測定用組成物は、被験者に経口的に摂取された後、胃に入り、次いで胃の収縮弛緩運動や蠕動運動により最終的に胃の幽門から排出される。胃幽門から排出されると、十二指腸以降の消化管内（十二指腸、空腸、回腸など）で有効成分である同位体標識ピリミジン化合物が速やかに吸収され、代謝されて呼気中に標識ＣＯ２ガスとして排泄される。本発明で用いる同位体標識ピリミジン化合物は、胃内で全く若しくは殆ど吸収されず、胃排出後に速やかに吸収され代謝されて呼気中に標識ＣＯ２ガスとして排泄されるものであることを特徴とする。このため、呼気中の標識ＣＯ２ガスの排泄挙動（具体的には、例えば呼気中に排泄される１２ＣＯ２あたりの同位体標識ＣＯ２ガスの割合［同位体標識ＣＯ２／１２ＣＯ２］として示される）は、本発明の組成物、言い換えれば同位体標識ピリミジン化合物の胃排出速度（胃排出時間）に依存する。【００７０】
具体的には、組成物投与後所定時の呼気中の１３ＣＯ２ガス量、炭酸ガスΔ（‰）値〔組成物投与前及び投与後の各呼気採取時における呼気中１３ＣＯ２／１２ＣＯ２濃度比（δ１３Ｃ値）の差〕、または１３ＣＯ２ガスの初速度を胃排出機能の指標とすることができる。例えば、健常者の炭酸ガスΔ（‰）値又は初速度を基準として、それに対して被験者がより低い炭酸ガスΔ（‰）値又は初速度を示す場合、当該被験者は胃排出機能が低下していると診断することができる。【００７１】
尚、本発明の胃排出能測定用組成物の投与は、胃排出能測定用組成物単独であってもよいし、試験食と共にまたは試験食の摂取の直前または直後に行うこともできる。好ましい方法は、試験食を摂取した直後に本発明の胃排出能測定用組成物を投与する方法である。ここで用いられる試験食は、本発明の組成物による胃排出能の測定の作用効果を妨げないものであれば特に制限されず、また固形食、流動食並びに液状食のいずれの態様であってもよい。【００７２】
前述するように、ディスペプシア（非潰瘍性上部消化管症候群）の主な原因は、消化管運動機能障害、特に胃排出能の低下である。従って、本発明の胃排出能測定用組成物は、ディスペプシア、特に胃排出能の不全を主な原因とするディスペプシア（例えば、運動不全型ディスペプシア）の診断検査薬として有効に利用することができる。ゆえに、上記本発明の胃排出能測定用組成物に関する説明は、すべてディスペプシア診断検査薬に関する説明として援用することができる。【００７３】
（III）胃排出能測定方法、および（IV）ディスペプシアの診断方法
本発明はまた、前述する胃排出能測定用組成物を用いる胃排出能測定方法である。胃排出能の測定は、同位体標識ピリミジン化合物を有効成分とする本発明の胃排出能測定用組成物を動物又はヒト等に経口投与し、呼気を採取し、当該呼気試料に排泄される標識ＣＯ２ガスの量またはその挙動を調べることによって行うことができる。【００７４】
例えば、同位元素として１３Ｃを用いる場合は、常法の１３Ｃ呼気検査法に従って、本発明の胃排出能測定用組成物を被験者に経口投与後、経時的に呼気を採取して、呼気中に排泄される１３ＣＯ２量を１３ＣＯ２／１２ＣＯ２量（δ１３Ｃ値）として、その経時的挙動を測定することによって、胃排出能を測定することができる。【００７５】
本発明の胃排出能測定用組成物は、胃内で全くまたは殆ど吸収されず、胃排出後に、消化管内のｐHに影響されることなく、十二指腸以降（十二指腸、空腸、回腸など）で速やかに吸収され代謝され、高い割合で呼気中に標識ＣＯ２ガスとして排泄されるという特性を有する同位体標識ピリミジン化合物を有効成分とするため、胃の排出運動機能をダイレクトかつ精度良く反映して測定することができる。また胃排出能測定用組成物を、同位体標識ピリミジン化合物と糖及び／又は糖アルコールとの粉末原料から調製した場合には、被験者間でのバラツキを抑制してより精度よく胃の排出運動機能を測定することができる。【００７６】
胃排出能の測定は、本発明の胃排出能測定用組成物を１回のみならず数回繰り返して行うことにより、また絶食条件下や摂食条件下などの種々異なる条件下で複数回行うことにより、より一層高い精度で正確に行うことができる。呼気試料中に含まれる標識ＣＯ２の測定・分析は、使用する同位元素が放射性か非放射性かによって異なるが、液体シンチレーションカウンター法、質量分析法、赤外分光分析法、発光分析法、磁気共鳴スペクトル法等といった一般に使用される分析手法を用いて行うことができる。好ましくは測定精度の点から赤外分光分析法及び質量分析法である。【００７７】
本発明の胃排出能測定用組成物の投与方法は、前述する通りであるが、特に制限されない。【００７８】
本発明の組成物の投与単位形態中に配合される同位体標識ピリミジン化合物の量は、用いる標識化合物の種類等によって異なるため一概に定めることができず、ケースに応じて適宜調節設定することができる。例えば標識ピリミジン化合物として、2−13Ｃウラシルを用いて呼気テストによって測定する場合、単位投与あたりの製剤には2−13Ｃウラシルを１〜２０００ｍｇ、好ましくは１０〜３００ｍｇの範囲で含むことが望ましい。また、他の同位体標識ピリミジン化合物を有効成分とする場合も、これに準じて適宜調整することができる。【００７９】
当該胃排出能測定方法を利用することによって、被験者の排出能の低下または亢進を診断評価することが可能である。具体的には、当該診断は、上記方法によって測定される被験者の呼気に排泄される標識ＣＯ２ガスの量若しくはその挙動を、標準コントロール（健常被験者において呼気に排泄される標識ＣＯ２ガスの量若しくはその挙動）と比較することによって行うことができる。【００８０】
例えば、本発明の胃排出能測定用組成物を被験者に投与した後に呼気中に排泄される標識炭酸ガス（１３ＣＯ２）量または炭酸ガスΔ（‰）（組成物投与後のδ１３Ｃ値と組成物投与前のδ１３Ｃ値との差）値を経時的に測定し、その排泄パターンと標準コントロール（健常被験者）の排泄パターンとを対比することによって、被験者の胃排出能を診断評価することができる。【００８１】
また、呼気に排泄される１３ＣＯ２の初速度からも胃排出能の低下の有無を評価することができる。この方法によれば被験者の拘束時間をより一層短縮することが可能となる。この場合、被験者について呼気に排泄される１３ＣＯ２の初速度が標準コントロール（健常被験者）の１３ＣＯ２初速度よりも遅い場合に胃排出能が低下していると判断することができる。【００８２】
前述するように、ディスペプシア（非潰瘍性上部消化管症候群）の主な原因は、消化管運動機能障害、特に胃排出能の低下である。従って、以上説明する胃排出能測定方法は、ディスペプシア、特に胃排出能の不全を主な原因とするディスペプシア（例えば、運動不全型ディスペプシア）の診断方法として有効に利用することができる。ゆえに、上記本発明の胃排出能測定方法に関する説明は、すべてディスペプシア診断方法に関する説明として援用することができる。なおこの場合、胃排出能測定用組成物に代えて、前述するディスペプシア診断検査薬が用いられる。【００８３】
（V）薬効もしくは治療効果の測定方法
上記の胃排出能測定方法を利用することによって、胃腸薬、とくに消化管運動機能に関わる薬物についてその薬効または個々の被験者に対する治療効果を測定することが可能である。具体的には、当該測定は、被験者に胃腸薬、特に胃運動機能に関わる薬物を投与する前と投与した後のそれぞれにおいて、本発明の胃排出能測定用組成物を用いて胃排出能を測定し、両者を比較することによって実施することができる。これによって該薬物自体の薬効を評価することができる。また、個々に被験者に対する薬物の治療効果を評価することも可能であり、その結果、個々の被験者に適合した薬物を選別する手段としても利用することができる。【００８４】
なお、消化管運動機能に関わる薬物としては、消化管運動機能改善剤、消化管運動機能亢進剤若しくは消化管運動機能賦活剤（具体的には、アセチルコリン作動薬、ドパミン受容体拮抗薬、ドパミンD2受容体拮抗薬、セロトニン受容体作動薬、オピアト作動薬、漢方薬[六君子湯、半夏瀉心湯、安中散]）、または消化管運動機能抑制剤（抗コリン薬やムスカリン受容体拮抗薬など）などのように、胃の蠕動運動を亢進的または抑制的に調節する作用を有する薬物を挙げることができる。【００８５】
また当該方法は、被験者として、ディスペプシア患者、特に胃運動機能の不全を主な原因とするディスペプシアの患者（運動不全型ディスペプシアの患者）を対象として行うこともできる。この場合、個々のディスペプシア患者に対する薬物療法の効果を測定することでき、個々の患者に応じて、適切な薬物、消化管運動機能に関わる薬物（上記消化管運動機能改善剤、消化管運動機能亢進剤若しくは消化管運動機能賦活剤）を選択することができる。すなわち、上記方法は、ディスペプシア患者に対する薬物、特に消化管運動機能に関わる薬物の薬効を測定する方法、またはディスペプシア患者に対する薬物の治療効果を測定する方法として有効に利用することができる。その具体的な測定方法については、前述する胃排出能測定方法の説明を援用することができる。
【実施例】
【００８６】
以下に実施例並びに実験例を掲げて、本発明をより一層明らかにする。ただし、本発明はこれらの実施例等によって何ら制限されるものではない。【００８７】
実施例１    液剤
２−１３Ｃウラシル（分子量113.08：Cambridge Isotope Laboratory製）１００ｍｇを、０．１Ｎ−ＮａＯＨ／ｓａｌｉｎｅ溶液（調整）５０ｍｌに溶解し、水溶液の形態をした組成物を調製した（20μmol/mlの割合で2−１３Ｃウラシルを含む）。【００８８】
実施例２  顆粒剤
（１）顆粒剤の調製
２−１３Ｃウラシル（Cambridge Isotope Laboratory製）２０ｇとＤ−マンニトール（マンニット、協和発酵製）３８０ｇを混合後、サンプルミル（ＫIIＷＧ−１Ｆ、不二パウダル製）に導入し混合粉砕（粉砕条件；粉砕ローター回転数：１２８００ｒｐｍ、サンプル供給モーター回転数：約１０ｒｐｍ、スクリーン：１ｍｍパンチスクリーン）し、粉末原料を調製した。得られた粉末原料２００ｇを量り取り、スピードニーダー（ＮＳＫ−１５０、岡田精工製）に入れ、精製水２０ｇを加えて練合した。次いで、得られた湿粉体をφ１ｍｍ穴のドームダイを装着した押し出し造粒機（ドームグランＤＧ−１Ｌ、不二パウダル製）で押し出し、６０℃に設定した送風乾燥機（ＳＰＨＨ−２００、エスペック製）で乾燥させた。乾燥後の製剤のうち、目開き１４００μｍの篩いを通過し、且つ目開き３５５μｍの篩いを通過しなかったものを2−１３Ｃウラシル５重量％含有顆粒剤として得た。【００８９】
斯くして得られた2−１３Ｃウラシル５重量％含有顆粒剤の粒径を、振動篩い法［具体的には、測定装置：ロボットシフターＲＰＳ−９５(セイシン企業)、振動レベル：５、シフトタイム：５分、パルス間隔：１秒］により測定したところ、表１に示す結果が得られた。【００９０】
【表１】
0005213702.tif 000002
【００９１】
（２）溶解性の評価
室温下で、２００ｍＬのビーカーに水道水１００ｍＬを入れ、マグネチックスターラー（ＲＣＮ−７Ｄ、ＥＹＥＬＡ製）を用いて２００ｒｐｍで攪拌しながら、上記顆粒剤２０００ｍｇを投入し目視で製剤の溶解までの時間を測定した。また、顆粒剤を投入して３分経過した際に、該製剤の溶け残りについても目視評価した。その結果、溶解までに要した時間は１分１０秒と短く、３分経過後の溶け残りは極めて少量であった。【００９２】
実施例３  顆粒剤
２−１３Ｃウラシル（Cambridge Isotope Laboratory製）２０ｇとＤ−マンニトール（マンニット、協和発酵製）１８０ｇを混合後、サンプルミル（ＫIIＷＧ−１Ｆ、不二パウダル製）へ導入し混合粉砕（粉砕ローター回転数：１２８００ｒｐｍ、サンプル供給モーター回転数：約１０ｒｐｍ、スクリーン：１ｍｍパンチスクリーン）し、粉末原料を調製した。得られた粉末原料１４４ｇを量り取り、スピードニーダー（ＮＳＫ−１５０、岡田精工製）に入れ、精製水１４．４ｇを加えて練合した。次いで得られた湿粉体をφ１ｍｍ穴のドームダイを装着した押し出し造粒機（ドームグランＤＧ−１Ｌ、不二パウダル製）で押し出し、６０℃に設定した送風乾燥機（ＳＰＨＨ−２０１、エスペック製）で乾燥させた。乾燥後の製剤の内、目開き１４００μｍの篩いを通過し、且つ目開き３５５μｍの篩いを通過しなかったものを2−１３Ｃウラシル１０重量％含有粒状製剤として得た。【００９３】
実施例４  錠剤
２-１３Ｃウラシル（Cambridge Isotope Laboratory製）１００ｇ、乳糖（H.M.S社製）６０ｇ、トウモロコシデンプン（コーンスターチ、日本食品化工製）２５ｇ、結晶セルロース（セオラスＰＨ３０１、旭化成製）１０ｇ、ヒドロキシプロピルセルロース（ＨＰＣ−Ｌ微粉、日本曹達製）４ｇをスピードニーダー（ＮＳＫ−１５０、岡田精工製）に入れ混合後、精製水４０ｇを加えて練合した。次いで、得られた練合粉体を３ｍｍパンチスクリーンを装着したスピードミル（ＮＤ-０２、岡田精工製）により造粒した後、７０℃に設定した送風乾燥機（ＳＰＨＨ−２００、エスペック製）で乾燥させた。乾燥後得られた粒状体を１６号篩いに通過させて整粒し、整粒後の粒状体１９９ｇにステアリン酸マグネシウム（太平化学産業製）１ｇを添加して打錠用顆粒とした。この打錠用顆粒をφ８ｍｍスミ角Ｒの杵臼を装着した単発打錠機（No.2B、菊水製作所製）を用いて１錠が２００ｍｇとなるように打錠して錠剤を得た。【００９４】
実施例５    粉末製剤  
（１）製剤の調製
２-１３Ｃウラシル（Cambridge Isotope Laboratory製）２０ｇ及びＤ−マンニトール（マンニット、協和発酵製）１８０ｇを良く混合した後、サンプルミル（SAM、奈良機械社製）に投入して混合粉砕処理（粉砕羽根形状：ピンタイプ、ローター回転数：４０００ｒｐｍ、スクリーン：３ｍｍパンチスクリーン）し、粉末製剤を調製した。
（２）粒度分布測定
上記粉末製剤について、乾式粒度分布測定装置（LDSA-1500A、東日コンピュータ社製）を用いて、焦点距離：１００ｍｍ、平均化回数：１０回、平均化間隔：５ミリ秒、及びエアー圧力：０．４ＭＰａの条件下で粒度分布を測定した。測定した粒度分布から、１０％粒子径（10％D[μm]）、５０％粒子径（50％D[μm]）、及び９０％粒子径（90％D[μm]）を算出した結果を表２に示す。【００９５】
【表２】
0005213702.tif 000003
【００９６】
表２に示すように、粒子が小さくなっており、十分な粉砕効果が得られていることが確認された。【００９７】
実施例６〜１０、１１〜１５
上記実施例１〜５において、２−１３Ｃウラシルに代えて２−１３Ｃチミンを用いて同様にして液剤（実施例６）、顆粒剤（実施例７および８）、錠剤（実施例９）および粉末製剤（実施例１０）を調製した。また、上記実施例１〜５において、２−１３Ｃウラシルに代えて２−１３Ｃシトシンを用いて同様にして液剤（実施例１１）、顆粒剤（実施例１２および１３）、錠剤（実施例１４）および粉末製剤（実施例１５）を調製した。【００９８】
実験例１
ラット（雄性、Wister系ラット、８週齢）を用い、ペントバルビタール麻酔下で開腹した後、胃、十二指腸、空腸及び回腸の各部位を結搾し、各消化器（胃、十二指腸、空腸、回腸）内でループを作成した。具体的には、胃については幽門部、十二指腸については幽門部及び幽門部より下20cm、空腸についてはTreitz’ligament下10cmとその下20cm、及び回腸については盲腸より上20cmと回盲部を、各々結搾した。【００９９】
次いで注射針を用い、蒸留水に溶解した20μmol/mLの6-１４Ｃウラシル（Moravek Biochemicals, Inc.製）の水溶液を、1mL/kgの割合で各消化管ループに注入し，注入部位を接着剤にて封鎖した。6-１４Ｃウラシル水溶液を注入した後，5, 10, 20, 30, 45及び 60分めに頸静脈より注射筒を用い採血し、血清分離剤入りチューブに移した。これを3000rpmで15分間遠心分離し、血清を得た。次いで液体シンチレーションカウンターを用い血清中の放射能を測定した。結果を図１に示す。【０１００】
図１に示す結果からわかるように、ウラシルは胃では殆ど吸収されず、十二指腸以下の消化管（十二指腸、空腸、および回腸）で吸収された。【０１０１】
実験例２
２-１３Ｃウラシル（Cambridge Isotope Laboratory製）をそのまま各種ｐＨのBritton-Robinson緩衝液（ｐＨ２、４、６および８）に溶解して飽和溶液を調製した。各溶液を高速液体クロマトグラフィーにかけて、溶液中に溶解している２-１３Ｃウラシル量を測定し、溶解度（w/v%）を算出した。結果を表３に示す。【０１０２】
【表３】
0005213702.tif 000004
【０１０３】
この結果から、ウラシルの溶解度は、溶液のｐＨ（消化管ｐＨ）によって殆ど変動しないことがわかる。【０１０４】
実験例３
ラット（雌, Wister系ラット, ８週齢：n=3）およびイヌ（雌,ビーグル犬,11kg：n=3）に、６-１４Ｃウラシル（Moravek Biochemicals, Inc.製）を含む水溶液を、20μmol /kgの用量で絶食下単回経口投与し、投与後168時間までに呼気，尿及び糞中に排出された代謝物の量を、放射能を指標として液体シンチレーションカウンターを用いて測定し、累積排泄率を算出した。【０１０５】
またヒト（12例）を対象として、実施例２で調製した ２-１３Ｃウラシル（Cambridge Isotope Laboratory製）を含む顆粒剤を、２-１３Ｃウラシルの量として100mg経口投与し、尿中および呼気中への代謝物の排泄率を測定した。尿中排泄率は、２-１３Ｃウラシル投与後の12時間蓄尿中への代謝物の排泄率（累積排泄率）を、ＬＣ／ＭＳ／ＭＳで測定した尿中代謝物濃度と尿量から計算した。呼気中排泄率は、呼気中に排泄された１３ＣＯ２濃度（投与前，投与後10，20，30，40，50，60，90分及び2，4，6，8，12時間）をＧＣ／ＭＳを用いて測定した結果から、Ghoosら（Ghoos YF, Maes BD, Geypens BJ, et al. Measurement of gastric emptying rate of solids by means of a carbon-labeled octanoic acid breath test. Gastroenterology 1993; 104: 1640-7）の換算式を用いて算出した。結果を図２に示す。【０１０６】
図２に示すように、ラット、イヌおよびヒトに投与したウラシルは、いずれも投与から１２時間以内に代謝されて８０％以上の高い割合で呼気中に炭酸ガスとして排泄されることが確認された。【０１０７】
実験例４
抗コリン薬「propantheline」を１ｍｇ／ｋｇの割合で、ラット（雌, Wister系ラット,８週齢：n=3）に静脈内投与し、胃排出機能を低下させたモデル動物（胃排出遅延モデル）を作成した。propanthelineを静注した５分後に、 ２-１３Ｃウラシル水溶液を１０ｍｇ／ｋｇの割合で経口投与し、５，１０，２０，３０，４０，５０および６０分後にラット専用呼気採取用ディバイスを用いて、１００ｍＬ／６０secの速度で呼気を吸引採取し、２-１３Ｃウラシル投与前に同様に採取した呼気試料（pre）とともに、呼気試料中の１３ＣＯ２濃度をＧＣ-ＭＳ（ABCA-G、Europa Scientific社製）を用いて測定した。なお、対照試験として、propanthelineを静注しない正常な胃排出機能を有するラットに、上記と同様にして２-１３Ｃウラシル（10mg/kg）を投与して、経時的に呼気試料を採取して、各呼気試料中の１３ＣＯ２濃度を測定した。【０１０８】
２-１３Ｃウラシル投与後の呼気中１３ＣＯ２濃度推移を図３に示す。図３中、縦軸は、２-１３Ｃウラシル投与前に採取した呼気のδ１３Ｃ値（‰）（呼気中１３ＣＯ２／１２ＣＯ２濃度比）と２-１３Ｃウラシル投与後に採取した各時それぞれの呼気のδ１３Ｃ値（‰）との差である△１３Ｃ値（‰）を示す。また横軸は、２-１３Ｃウラシル投与後、呼気を採取した時間（分）を示す。図３からわかるように、propantheline投与により胃排出能を低下させたラットの呼気排泄１３ＣＯ２濃度（△１３Ｃ値（‰））は、正常ラットの呼気排泄１３ＣＯ２濃度（△１３Ｃ値（‰））に比して有意に低かった。この結果から、２-１３Ｃウラシル投与後の呼気中１３ＣＯ２濃度推移に基づいて胃排出能を測定することができること、また２-１３Ｃウラシル投与後の呼気中１３Ｃ炭酸ガス濃度推移を、正常な胃排出能を有する対照群と比較することによって、胃排出能の低下や亢進の有無を評価することができることがわかる。【０１０９】
実験例５
胃摘出術後２０日以内の術性胃不全麻痺が疑われるヒト患者（20症例、うち7症例は胃全摘出）に、実施例２で調製した２-１３Ｃウラシルの顆粒剤を、２-１３Ｃウラシルの量として１００ｍｇ経口投与し、投与後１０，２０，３０，４０，５０および６０分めに呼気を採取し、２-１３Ｃウラシル投与前に同様に採取した呼気試料（pre）とともに、各呼気試料中の13ＣＯ２濃度を、ＧＣ／ＭＳを用いて測定した。次いで、呼気中13ＣＯ２濃度の変化量（Δ13C(‰））を算出した。結果を図４に示す。【０１１０】
図４に示すように、本発明の２-１３Ｃウラシルを用いた呼気試験により、上記ヒト患者（20症例）は、胃排出能が正常な患者（正常型：実線）、胃排出能が低下している患者（胃排出遅延型：破線）、および胃排出能が不全の患者（不全型：点線）に分類することができた。なお、これらの患者について、２-１３Ｃウラシル投与後２０分後の血漿中２-１３Ｃウラシル濃度を測定したところ、図５に示すように、胃排出能に対応して、胃排出能低下（胃排出遅延）患者および胃排出能不全患者について、血漿中の２-１３Ｃウラシル濃度の低下が認められた。このことから、本発明の２-１３Ｃウラシルを用いた呼気試験は、胃排出能をよく反映していることがわかる。【０１１１】
実験例６  診断精度の評価
実施例２の顆粒剤各々１ｇを３名の健常者（被験者Ａ、Ｂ及びＣ）に経口投与し、経時的に呼気を採取して呼気中１３ＣＯ２濃度をＧＣ-ＭＳ分析装置（ABCA-G、Europa Scientific社製）を用いて測定した。【０１１２】
製剤投与後の呼気中１３ＣＯ２濃度推移を図６に示す。図６中、縦軸は、顆粒剤投与前に採取した呼気のδ１３Ｃ値（‰）（呼気中１３ＣＯ２／１２ＣＯ２濃度比）と顆粒剤投与後に採取した各時それぞれの呼気のδ１３Ｃ値（‰）との差である△１３Ｃ値（‰）を示す。また横軸は、顆粒剤投与後、呼気を採取した時間（分）を示す。図６からわかるように、呼気試験において、実施例２で調製したような２-１３Ｃウラシル等の同位体標識ピリミジン化合物と糖及び／又は糖アルコールとを混合粉砕して調製した粉末原料を用いて製剤化した顆粒剤を用いると、被験者間の呼気中１３ＣＯ２濃度推移が類似しており、個人差によるばらつきが少なかった。この結果から、好適には上記のような製剤を使用して投与後２０分から３０分の呼気中１３ＣＯ２濃度を指標として胃排出能を測定することにより、個人差によるばらつきが少なく、迅速且つ高い精度でディスペプシアを診断できると考えられる。
【図面の簡単な説明】
【０１１３】
【図１】胃（stomach）、十二指腸（duodenum）、空腸（jejunum）、および回腸（ileum）におけるウラシル（6-14Cウラシル）の吸収を示す図である。
【図２】ウラシルの体内動態を示す図である。
【図３】実験例３において、胃排出遅延モデル（ラット）（propantherinel前処理）と胃排出能が正常なラット（control）に2-１３Ｃウラシルを経口投与した場合に、呼気に排泄された１３ＣＯ２の挙動を経時的に示した結果である。
【図４】実験例４において、2-１３Ｃウラシルを20名の胃不全麻痺が疑われる患者に投与した場合に、呼気に排泄された１３ＣＯ２の挙動を経時的に示した結果である。
【図５】図４の結果から、胃排出能正常、胃排出能低下および胃排出能不全の３群に分類された各群の患者について2-１３Ｃウラシル投与後20分後の血漿中の2-１３Ｃウラシル濃度を示す。
【図６】実施例２の顆粒剤を３名の健常者（被験者Ａ、Ｂ及びＣ）に投与した場合に、呼気に排泄された１３ＣＯ２の挙動を経時的に示した結果である。
【図１】
0005213702.tif 000005
【図２】
0005213702.tif 000006
【図３】
0005213702.tif 000007
【図４】
0005213702.tif 000008
【図５】
0005213702.tif 000009
【図６】
0005213702.tif 000010